(57)【特許請求の範囲】
【請求項１】
光源と、
前記光源と対向状に配されるとともに前記光源からの光が入射される光入射面と、入射した光を出射させる光出射面とを有する導光板と、
前記導光板における前記光出射面とは反対側の板面を覆う形で配される反射部材と、
前記反射部材に対して前記導光板側とは反対側に対向状に配されるとともに前記反射部材に沿って延在する底板を有するシャーシと、
前記反射部材と前記底板との間に介在する形で配されるとともに、前記導光板における前記光入射面を有する端側部分が中央側部分に比べて相対的に前記底板側に位置するよう前記反射部材を介して前記導光板を撓ませて支持する導光板支持部と、を備え、
前記導光板支持部は、前記導光板のうち前記光入射面を有する端側部分と、その反対側の端側部分とが共に前記中央側部分に比べて相対的に前記底板側に位置するよう前記導光板を弓形に撓ませて支持する照明装置。
【請求項２】
前記光源は、前記導光板を両側から挟み込むよう対をなす形で配されており、
前記導光板のうち前記中央側部分を挟んで位置する一対の前記端側部分がそれぞれ前記光入射面を有している請求項１記載の照明装置。
【請求項３】
前記導光板支持部は、前記導光板が対称形状となるよう支持している請求項１または請求項２記載の照明装置。
【請求項４】
前記導光板支持部は、相対的に前記光入射面の近くに配されるとともに前記導光板の支持位置が低い低位側支持部と、相対的に前記光入射面から遠くに配されるとともに前記導光板に対する支持位置が高い高位側支持部とからなる請求項１から請求項３のいずれか１項に記載の照明装置。
【請求項５】
前記導光板に対して前記導光板支持部とは反対側に配されて前記端側部分を押さえる押さえ部材が備えられている請求項１から請求項４のいずれか１項に記載の照明装置。
【請求項６】
前記光源は、前記導光板の前記光入射面に沿って複数が間欠的に並んで配されている請求項１から請求項５のいずれか１項に記載の照明装置。
【請求項７】
前記光源が取り付けられる光源取付部と、前記光源取付部から前記導光板側に向けて延出するとともに前記反射部材に対して前記導光板側とは反対側に対向状に配される底部とを有する放熱部材が備えられている請求項１から請求項６のいずれか１項に記載の照明装置。
【請求項８】
前記導光板支持部は、前記放熱部材の前記底部から前記反射部材側に向けて突出する形で設けられている請求項７記載の照明装置。
【請求項９】
前記光源は、前記光源取付部において前記導光板の前記光入射面に沿って複数が間欠的に並んで配されており、
前記導光板支持部は、前記底部において前記光源の並び方向に沿って延在する形態とされている請求項８記載の照明装置。
【請求項１０】
前記放熱部材は、前記シャーシの一部を構成していて外部に露出する露出面を有している請求項７から請求項９のいずれか１項に記載の照明装置。
【請求項１１】
前記放熱部材は、アルミニウムからなるとともに、その表面にアルマイト層が形成されている請求項７から請求項１０のいずれか１項に記載の照明装置。
【請求項１２】
前記放熱部材は、その表面に金属酸化物を含有した放熱性塗料が塗布されている請求項７から請求項１０のいずれか１項に記載の照明装置。
【請求項１３】
請求項１から請求項１２のいずれか１項に記載の照明装置と、前記照明装置からの光を利用して表示を行う表示パネルとを備える表示装置。
【請求項１４】
請求項１３に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。液晶表示装置の一層の薄型化を実現するには、エッジライト型のバックライト装置を用いるのが好ましく、その一例として下記特許文献１に記載されたものが知られている。
この特許文献１に記載されたものでは、光源と、光源と対向状をなす光入射面及び表側を向いて光を出射させる光出射面を有する導光板と、導光板の光出射面とは反対側の板面を覆う形で配される反射シートと、光源、導光板及び反射シートを収容するとともに反射シートに沿って延在する底板を有するシャーシとからなる。
【先行技術文献】
【特許文献】
【０００３】
【特許文献１】特開２０１０−９７８７号公報
【発明の概要】
【発明が解決しようとする課題】
【０００４】
ところで、上記のようなバックライト装置を備えた液晶表示装置を大型化すると、それに伴ってシャーシも大型になるため、シャーシの底板に撓みや反りなどの変形が生じ易くなり、特にシャーシの底板のうち中央側部分が裏側に膨らむような変形が生じ易くなっている。この底板の変形に導光板が追従して変形すると、導光板における中央側部分が裏側に変位して、導光板に撓みが発生することになる。このとき、導光板は、内部応力が増加することでその姿勢が不安定なものとなるため、導光板における光入射面を有する端側部分と反射シートとの間に隙間が生じる場合がある。そうなると、光源からの光が上記隙間を通って反射シートの光源側の端部に直接到達し、反射シートによって表側へ反射されることで、導光板を透過してそのまま光出射面から漏れ出すため、そこが他の部分に比べて局所的に明るい明部として視認されるおそれがあった。
【０００５】
本発明は上記のような事情に基づいて完成されたものであって、大型化に伴って生じる輝度ムラなどの問題を解消することを目的とする。
【課題を解決するための手段】
【０００６】
本発明の照明装置は、光源と、前記光源と対向状に配されるとともに前記光源からの光が入射される光入射面と、入射した光を出射させる光出射面とを有する導光板と、前記導光板における前記光出射面とは反対側の板面を覆う形で配される反射部材と、前記反射部材に対して前記導光板側とは反対側に対向状に配されるとともに前記反射部材に沿って延在する底板を有するシャーシと、前記反射部材と前記底板との間に介在する形で配されるとともに、前記導光板における前記光入射面を有する端側部分が中央側部分に比べて相対的に前記底板側に位置するよう前記反射部材を介して前記導光板を撓ませて支持する導光板支持部と、を備える。
【０００７】
このようにすれば、光源から発せられた光は、導光板の光入射面に入射して導光板内において反射部材によって反射されるなどして伝播された後に光出射面から出射される。ここで、当該照明装置が大型化されると、それに伴ってシャーシも大きくなるため、反りや撓みなどの変形が生じ易くなり、特に底板のうち端側部分よりも中央側部分が外側に膨らむような変形が生じ易くなる傾向にある。その場合、上記した底板の変形に追従して導光板における中央側部分が外側、つまり底板側に変位されることになるが、導光板は、反射部材とシャーシの底板との間に介在する形で配される導光板支持部によって光入射面を有する端側部分が中央側部分に比べて相対的に底板側に位置するよう反射部材を介して撓まされた状態で支持されているから、上記のように中央側部分が底板側に変位されると、全体として復元しようとするために撓みが緩和される。これにより、導光板の内部応力が減少されることになるので、仮に導光板の内部応力が増加した場合に比べると、導光板の姿勢を安定させることができ、それにより導光板における光入射面を有する端側部分と反射部材との間に隙間が生じ難くなる。従って、光源からの光が上記隙間を通って反射部材によって直接反射されて生じる光漏れが防がれるとともに、光出射面からの出射光に生じ得る輝度ムラを抑制することができる。
【０００８】
本発明の実施態様として、次の構成が好ましい。
（１）前記導光板支持部は、前記導光板のうち前記光入射面を有する端側部分と、その反対側の端側部分とが共に前記中央側部分に比べて相対的に前記底板側に位置するよう前記導光板を弓形に撓ませて支持する。このようにすれば、導光板支持部により導光板を弓形に撓ませて支持しているから、仮に導光板における片方の端側部分のみが中央側部分に比べて相対的に底板側に位置するよう導光板を撓ませた場合に比べると、導光板をより安定的に支持することができる。これにより、導光板における光入射面を有する端側部分と反射部材との間に隙間がより生じ難くなるので、輝度ムラをより好適に抑制することができる。
【０００９】
（２）前記光源は、前記導光板を両側から挟み込むよう対をなす形で配されており、前記導光板のうち前記中央側部分を挟んで位置する一対の前記端側部分がそれぞれ前記光入射面を有している。このようにすれば、導光板を両側から挟み込むよう対をなす形で配される各光源からの光は、導光板のうち中央側部分を挟んで位置する一対の端側部分がそれぞれ有する各光入射面に入射される。導光板支持部によって導光板を弓形に撓ませて支持しているから、一対の端側部分と反射部材との間にそれぞれ隙間が生じ難く、それにより各光源からの光が光漏れするのがそれぞれ防がれ、もって輝度ムラを一層好適に抑制することができる。
【００１０】
（３）前記導光板支持部は、前記導光板が対称形状となるよう支持している。このようにすれば、輝度ムラをより一層好適に抑制することができる。
【００１１】
（４）前記導光板支持部は、相対的に前記光入射面の近くに配されるとともに前記導光板の支持位置が低い低位側支持部と、相対的に前記光入射面から遠くに配されるとともに前記導光板に対する支持位置が高い高位側支持部とからなる。このようにすれば、低位側支持部と高位側支持部とからなる導光板支持部によって導光板を、光入射面からの距離が異なる複数位置にて支持しているので、導光板の姿勢が安定したものとなるとともに、導光板支持部から導光板への伝熱を抑制することができる。
【００１２】
（５）前記導光板に対して前記導光板支持部とは反対側に配されて前記端側部分を押さえる押さえ部材が備えられている。このようにすれば、導光板における光入射面を有する端側部分が導光板支持部と押さえ部材とによって挟まれる形で支持されるから、反射部材に対する位置関係がより安定したものとなり、それにより光漏れをより確実に防ぐことができる。
【００１３】
（６）前記光源は、前記導光板の前記光入射面に沿って複数が間欠的に並んで配されている。このようにすれば、導光板支持部によって導光板における光入射面を有する端側部分と反射部材との位置関係が安定したものとなって光漏れが生じ難くなっているので、導光板の光入射面に沿って間欠的に並んで配された複数の光源から光入射面に入射する光の入射効率がそれぞれ安定したものとなる。これにより、輝度ムラを一層好適に抑制することができる。
【００１４】
（７）前記光源が取り付けられる光源取付部と、前記光源取付部から前記導光板側に向けて延出するとともに前記反射部材に対して前記導光板側とは反対側に対向状に配される底部とを有する放熱部材が備えられている。このようにすれば、光源から発せられた熱は、放熱部材の光源取付部及び底部に伝達されることで、効率的に放散される。ここで、照明装置が大型化されると、それに伴って光源からの発熱量が増加する傾向にあるものの、上記したように放熱部材によって放熱性が高められているので、当該照明装置の大型化を図る上で有用である。
【００１５】
（８）前記導光板支持部は、前記放熱部材の前記底部から前記反射部材側に向けて突出する形で設けられている。このようにすれば、光源が取り付けられた光源取付部を有する放熱部材のうちの底部に導光板支持部を設けるようにしているから、導光板支持部によって支持された導光板における光入射面を有する端側部分を光源に対してより適切な位置に保つことができる。これにより、光源から光入射面に入射する光の入射効率をより良好なものとすることができる。
【００１６】
（９）前記光源は、前記光源取付部において前記導光板の前記光入射面に沿って複数が間欠的に並んで配されており、前記導光板支持部は、前記底部において前記光源の並び方向に沿って延在する形態とされている。このようにすれば、底部から反射部材側に向けて突出するとともに光源の並び方向に沿って延在する形態とされる導光板支持部によって放熱部材が補強されるので、光源取付部に反りや撓みなどが生じ難くなる。従って、光源取付部において導光板の光入射面に沿って複数が間欠的に並んで配される各光源の間に位置が異なるものが生じ難くなり、もって各光源から光入射面に入射する光の入射効率をそれぞれ安定したものとすることができるとともに、輝度ムラの低減を図る上でより好適となる。
【００１７】
（１０）前記放熱部材は、前記シャーシの一部を構成していて外部に露出する露出面を有している。このようにすれば、シャーシの一部を構成する放熱部材が外部に露出する露出面を有しているので、光源からの熱を露出面から外部へと効率的に放散させることができ、もって高い放熱性能を得ることができる。
【００１８】
（１１）前記放熱部材は、アルミニウムからなるとともに、その表面にアルマイト層が形成されている。このようにすれば、アルミニウムの熱伝導性が良好なのに加えて、表面にアルマイト層が形成されることで放射率が高められているから、放熱部材の放熱性をより向上させることができる。
【００１９】
（１２）前記放熱部材は、その表面に金属酸化物を含有した放熱性塗料が塗布されている。このようにすれば、放熱部材の表面に金属酸化物を含有した放熱性塗料を塗布することで、放熱部材の放熱性をより向上させることができる。
【００２０】
次に、上記課題を解決するために、本発明の表示装置は、上記記載の照明装置と、前記照明装置からの光を利用して表示を行う表示パネルとを備える。
【００２１】
このような表示装置によると、表示パネルに対して光を供給する照明装置が、輝度ムラが生じ難いものであるため、表示品質の優れた表示を実現することが可能となる。
【００２２】
前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００２３】
本発明によれば、大型化に伴って生じる輝度ムラなどの問題を解消することができる。
【図面の簡単な説明】
【００２４】
【図１】本発明の実施形態１に係るテレビ受信装置の概略構成を示す分解斜視図
【図２】液晶表示装置の概略構成を示す分解斜視図
【図３】液晶表示装置における短辺方向に沿った断面構成を示す断面図
【図４】液晶表示装置に備わるバックライト装置におけるシャーシと導光板と放熱部材とＬＥＤ基板との配置構成を示す平面図
【図５】導光板、放熱部材及び導光板支持部の断面構成を示す要部拡大断面図
【図６】変形したシャーシに導光板が追従した状態を示す要部拡大断面図
【図７】本発明の実施形態２に係る放熱部材の断面図
【図８】本発明の実施形態３に係る放熱部材の断面図
【図９】本発明の実施形態４に係る放熱部材の断面図
【図１０】本発明の実施形態５に係る放熱部材における導光板支持部の断面図
【図１１】本発明の実施形態６に係るシャーシ（放熱部材及び底板部材）の断面図
【図１２】本発明の実施形態７に係るシャーシと導光板と放熱部材とＬＥＤ基板との配置構成を示すとともに、放熱部材における導光板支持部の配置構成を示す平面図
【図１３】本発明の実施形態８に係る放熱部材における導光板支持部の平面配置を示す平面図
【図１４】図１３のxiv-xiv線断面図
【図１５】本発明の実施形態９に係るシャーシ及びその導光板支持部を示す断面図
【図１６】本発明の実施形態１０に係るシャーシ及びその導光板支持部を示す断面図
【図１７】本発明の実施形態１１に係るシャーシと導光板と放熱部材とＬＥＤ基板との配置構成を示す平面図
【発明を実施するための形態】
【００２５】
＜実施形態１＞
本発明の実施形態１を図１から図６によって説明する。本実施形態では、液晶表示装置１０について例示する。なお、各図面の一部にはＸ軸、Ｙ軸及びＺ軸を示しており、各軸方向が各図面で示した方向となるように描かれている。また、図３に示す上側を表側とし、同図下側を裏側とする。
【００２６】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形（矩形状、長手状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００２７】
液晶パネル１１は、図２に示すように、平面に視て横長の方形（矩形状、長手状）をなしており、透光性に優れた一対のガラス製の基板が所定のギャップを隔てた状態で貼り合わせられるとともに、両基板間に液晶が封入された構成とされる。一方の基板には、互いに直交するソース配線とゲート配線とに接続されたスイッチング素子（例えばＴＦＴ）と、そのスイッチング素子に接続された画素電極、さらには配向膜等が設けられ、他方の基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００２８】
バックライト装置１２は、図２に示すように、表側（光出射側、液晶パネル１１側）に向けて開口する光出射部１４ｃを有するシャーシ１４と、シャーシ１４の光出射部１４ｃを覆うようにして配される光学部材１５とを備える。さらに、シャーシ１４内には、光源であるＬＥＤ（Light Emitting Diode：発光ダイオード）１７と、ＬＥＤ１７が実装されたＬＥＤ基板１８と、ＬＥＤ基板１８が取り付けられる放熱部材２２と、ＬＥＤ１７からの光を導光して光学部材１５（液晶パネル１１）へと導く導光板１９と、導光板１９及び光学部材１５を表側から押さえるフレーム（押さえ部材）１６とが備えられる。そして、このバックライト装置１２は、その長辺側の両端部に、ＬＥＤ１７を有するＬＥＤ基板１８（放熱部材２２）をそれぞれ備えるとともに、両側のＬＥＤ基板１８間に挟まれた中央側に導光板１９を配置してなる、いわゆるエッジライト型（サイドライト型）とされている。以下では、バックライト装置１２の各構成部品について詳しく説明する。
【００２９】
シャーシ１４は、例えばアルミニウム板や電気亜鉛めっき綱板（ＳＥＣＣ）などの金属板からなり、図２及び図４に示すように、液晶パネル１１と同様に横長の方形状をなす底板１４ａと、底板１４ａにおける長辺側及び短辺側の各外端からそれぞれ一対ずつ立ち上がる側板１４ｂとからなる。シャーシ１４（底板１４ａ）は、その長辺方向がＸ軸方向（水平方向）と一致し、短辺方向がＹ軸方向（鉛直方向）と一致している。また、側板１４ｂには、フレーム１６及びベゼル１３がねじ止め可能とされる。
【００３０】
光学部材１５は、図２に示すように、液晶パネル１１及びシャーシ１４と同様に平面に視て横長の方形状をなしている。光学部材１５は、導光板１９の表側（光出射側）に載せられていて液晶パネル１１と導光板１９との間に介在して配される。光学部材１５は、裏側に配される拡散板１５ａと、表側に配される光学シート１５ｂとから構成される。拡散板１５ａは、所定の厚みを持つほぼ透明な合成樹脂製で板状をなす基材内に拡散粒子を多数分散して設けた構成とされ、透過する光を拡散させる機能を有する。光学シート１５ｂは、拡散板１５ａと比べると板厚が薄いシート状をなしており、３枚が積層して配されている。具体的な光学シート１５ｂの種類としては、例えば拡散シート、レンズシート、反射型偏光シートなどがあり、これらの中から適宜に選択して使用することが可能である。なお、図３では、光学部材１５の図示を簡略化している。
【００３１】
フレーム１６は、図２に示すように、光学部材１５及び導光板１９の外周縁部に沿って延在する枠状（額縁状）に形成されており、光学部材１５及び導光板１９の外周縁部に対して対向状をなすとともにほぼ全周にわたって表側（導光板支持部２５とは反対側）から押さえることが可能とされる。このフレーム１６によって表側から押さえられる導光板１９の外周縁部には、ＬＥＤ１７側の端側部分１９ＥＰ、つまり光入射面１９ｂを有する端側部分１９ＥＰが含まれている。このフレーム１６は、合成樹脂製とされるとともに、表面が例えば黒色を呈する形態とされることで、遮光性を有するものとされる。フレーム１６のうち両長辺部分における裏側の面、つまり導光板１９及びＬＥＤ基板１８（ＬＥＤ１７）との対向面には、図３に示すように、光を反射させる第１反射シート２０がそれぞれ取り付けられている。第１反射シート２０は、フレーム１６の長辺部分におけるほぼ全長にわたって延在する大きさを有しており、導光板１９におけるＬＥＤ１７側の端側部分１９ＥＰとＬＥＤ基板１８とを一括して表側から覆うものとされる。また、フレーム１６は、液晶パネル１１における外周縁部を裏側から受けることができる。
【００３２】
ＬＥＤ１７は、図３及び図４に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の面が発光面となる、いわゆる頂面発光型とされている。
【００３３】
ＬＥＤ基板１８は、図２から図４に示すように、シャーシ１４の長辺方向（Ｘ軸方向、導光板１９における光入射面１９ｂの長手方向）に沿って延在する細長い板状をなすとともに、その板面をＸ軸方向及びＺ軸方向に並行した姿勢、つまり液晶パネル１１及び導光板１９（光学部材１５）の板面と直交させた姿勢でシャーシ１４内に収容されている。ＬＥＤ基板１８の板面であって内側、つまり導光板１９側を向いた面（導光板１９との対向面）には、上記した構成のＬＥＤ１７が表面実装されており、ここが実装面１８ａとされる。ＬＥＤ１７は、ＬＥＤ基板１８の実装面１８ａにおいて、その長さ方向（Ｘ軸方向）に沿って複数が所定の間隔を空けつつ一列に（直線的に）並列配置されている。つまり、ＬＥＤ１７は、バックライト装置１２における長辺側の両端部においてそれぞれ長辺方向に沿って複数ずつ間欠的に並列配置されていると言える。Ｘ軸方向について隣り合うＬＥＤ１７間の間隔、つまりＬＥＤ１７の配列ピッチは、ほぼ等しいものとされている。なお、ＬＥＤ１７の並び方向は、ＬＥＤ基板１８の長さ方向（Ｘ軸方向）と一致していることになる。
【００３４】
また、ＬＥＤ基板１８の実装面１８ａには、Ｘ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの両端部に形成された端子部が外部のＬＥＤ駆動回路基板（図示せず）に接続されることで、駆動電力を各ＬＥＤ１７に供給することが可能とされる。一対のＬＥＤ基板１８は、ＬＥＤ１７の実装面１８ａが互いに対向状をなす姿勢でシャーシ１４内に収容されるので、両ＬＥＤ基板１８にそれぞれ実装された各ＬＥＤ１７の発光面が対向状をなすとともに、各ＬＥＤ１７における光軸がＹ軸方向とほぼ一致する。言い換えると、一対のＬＥＤ基板１８に実装された各ＬＥＤ１７は、それぞれ導光板１９におけるＹ軸方向の両端部（長辺側の両端部）に対してそれぞれ対向状に配されている。また、ＬＥＤ基板１８の基材は、シャーシ１４と同様に金属製とされ、その表面に絶縁層を介して既述した配線パターン（図示せず）が形成されている。なお、ＬＥＤ基板１８の基材に用いる材料としては、セラミックなどの絶縁材料を用いることも可能である。
【００３５】
放熱部材２２は、例えばアルミニウムなどの金属製とされており、図２から図４に示すように、シャーシ１４の長辺方向に沿って延在する板材を途中でその長さ方向（Ｘ軸方向）に沿って屈曲させることで、全体として断面略Ｌ字型に形成されている。放熱部材２２は、ＬＥＤ基板１８が取り付けられるＬＥＤ取付部（光源取付部）２３と、ＬＥＤ取付部２３から内側（導光板１９側）に向けて延出する底部２４とからなり、これらＬＥＤ取付部２３と底部２４との間に屈曲箇所を有している。
【００３６】
ＬＥＤ取付部２３は、図２から図４に示すように、ＬＥＤ基板１８及びシャーシ１４の側板１４ｂの板面に並行する板面を有しており、その内側の板面に対してＬＥＤ基板１８における実装面１８ａとは反対側の板面が接した状態で取り付けられているのに対し、外側の板面がシャーシ１４の側板１４ｂにおける内側の板面に接した状態で取り付けられている。ＬＥＤ取付部２４は、その長さ方向がＸ軸方向と、幅方向がＺ軸方向と、厚さ方向がＹ軸方向とそれぞれ一致している。ＬＥＤ取付部２３は、その長さ寸法がシャーシ１４の長辺寸法とほぼ一致するとともに、後述する導光板１９における光入射面１９ｂのほぼ全長にわたって延在する大きさを有している。
【００３７】
底部２４は、図２から図４に示すように、Ｚ軸方向についてＬＥＤ取付部２３の裏側（シャーシ１４の底板１４ａ側）の端部からＹ軸方向に沿って内側に向けて延出しており、ＬＥＤ取付部２３に対してほぼ直角に屈曲されている。底部２４は、シャーシ１４の底板１４ａの板面に並行する板面を有しており、その外側（裏側）の板面がシャーシ１４の底板１４ａにおける内側の板面に接した状態で取り付けられている。底部２４には、その内側（表側）の板面に対して導光板１９が、第２反射シート（反射部材）２１を介して表側に重なる形で載せられている。底部２４は、その長さ方向がＸ軸方向と、幅方向がＹ軸方向と、厚さ方向がＺ軸方向とそれぞれ一致している。底部２４は、その長さ寸法がシャーシ１４の長辺寸法とほぼ一致するとともに、ＬＥＤ取付部２４及び導光板１９の長辺側の端部のほぼ全長にわたって延在する大きさを有している。
【００３８】
導光板１９は、屈折率が空気よりも十分に高く且つほぼ透明な（透光性に優れた）合成樹脂材料（例えばＰＭＭＡなどのアクリル樹脂やポリカーボネートなど）からなる。導光板１９は、図２に示すように、液晶パネル１１及びシャーシ１４と同様に平面に視て横長の方形状をなすとともに光学部材１５よりも厚みが大きな板状をなしており、その板面における長辺方向がＸ軸方向と、短辺方向がＹ軸方向とそれぞれ一致し、且つ板面と直交する板厚方向がＺ軸方向と一致している。この導光板１９は、その板面の全域にわたって板厚がほぼ一定とされる。導光板１９は、図３に示すように、シャーシ１４内において液晶パネル１１及び光学部材１５の直下位置に重なり合うようにして配されており、シャーシ１４における長辺側の両端部に配されて対をなすＬＥＤ基板１８間にＹ軸方向について挟み込まれる形で配されている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に向けて発せられた光を導入するとともに、その光を内部で伝播させつつ光学部材１５側（表側）へ向くよう立ち上げて出射させる機能を有する。
【００３９】
導光板１９は、図３及び図４に示すように、シャーシ１４の底板１４ａ及び光学部材１５の各板面に沿って延在する略平板状をなしており、その板面がＸ軸方向及びＹ軸方向に並行するものとされる。導光板１９の板面のうち、表側を向いた板面（光学部材１５との対向面）が内部の光を光学部材１５及び液晶パネル１１に向けて出射させる光出射面１９ａとなっている。導光板１９における板面に対して隣り合う外周端面のうち、Ｘ軸方向に沿って長手状をなす長辺側の両端面は、それぞれＬＥＤ１７（ＬＥＤ基板１８）と所定の空間を空けて対向状をなしており、これらがＬＥＤ１７から発せられた光が入射される一対の光入射面１９ｂとなっている。各光入射面１９ｂは、Ｘ軸方向（ＬＥＤ１７の並び方向）及びＺ軸方向、つまりＬＥＤ基板１８の主板面に沿って並行する面とされ、光出射面１９ａに対して略直交する面とされる。また、ＬＥＤ１７と光入射面１９ｂとの並び方向は、Ｙ軸方向と一致しており、光出射面１９ａに並行している。
【００４０】
導光部材１９の板面のうち裏側、つまり光出射面１９ａとは反対側の板面１９ｃには、図３に示すように、導光部材１９内の光を反射して表側へ立ち上げることが可能な第２反射シート（反射部材）２１がその全域を覆う形で設けられている。第２反射シート２１は、長辺側の両端部が導光板１９の各光入射面１９ｂよりも外側にそれぞれ延出されており、この延出部分２１ａが上記した第１反射シート２０に対して裏側に対向状に配されている。互いに対向状をなす第１反射シート２０と第２反射シート２１の延出部分２１ａとの間には、ＬＥＤ１７と光入射面１９ｂとの間に保有される空間が挟まれているので、ＬＥＤ１７からの光を両反射シート２０，２１間で繰り返し反射することで、光入射面１９ｂに対して効率的に入射させることができる。なお、導光部材１９における光出射面１９ａまたはその反対側の板面１９ｃの少なくともいずれか一方には、内部の光を反射させる反射部（図示せず）または内部の光を散乱させる散乱部（図示せず）が所定の面内分布を持つようパターニングされており、それにより光出射面１９ａからの出射光が面内において均一な分布となるよう制御されている。
【００４１】
ところで、液晶表示装置１０を大型化するよう要請があった場合には、それに伴って液晶表示装置１０を構成する各部材が大型化され、シャーシ１４も大型になって剛性が不足しがちとなるため、シャーシ１４の底板１４ａには撓みや反りなどの変形が生じ易くなる。ここで、シャーシ１４の底板１４ａにおける裏面側には、いずれも図示は省略するが、スタンドＳ（図１を参照）を取り付けるためのスタンド取付部材、各種基板類（例えばＬＥＤ駆動回路基板、コントロール基板、電源基板など）、壁掛け設置用のアタッチメントなどが取り付けられる場合があり、これらの各部材の少なくともいずれか１つによって底板１４ａには裏側へ引っ張るような力が作用し易くなっている。このため、上記のように大型化によって底板１４ａの剛性が不足すると、底板１４ａにはその中央側部分が裏側に膨らむような変形が生じ易くなっている。この底板１４ａの変形に元々真っ直ぐな形状の導光板１９が追従して変形すると、導光板１９における中央側部分１９ＣＰが裏側に変位して、導光板１９に撓みが発生することになる。このとき、導光板１９は、内部応力が増加することでその姿勢が不安定なものとなるため、導光板１９における光入射面１９ｂを有する端側部分１９ＥＰと第２反射シート２１との間に隙間が生じる場合がある。そうなると、ＬＥＤ１７からの光が上記隙間を通って第２反射シート２１に直接到達し、第２反射シート２１によって表側へ反射されることで、導光板１９を透過してそのまま光出射面１９ａから漏れ出すため、そこが他の部分に比べて局所的に明るい明部として視認されるおそれがあった。
【００４２】
そこで、本実施形態では、図３に示すように、導光板１９における光入射面１９ｂを有する端側部分１９ＥＰ（長辺側の端側部分１９ＥＰ）が中央側部分１９ＣＰに比べて相対的に裏側、つまりシャーシ１４の底板１４ａ側に位置するよう、第２反射シート２１を介して導光板１９を撓ませて支持する導光板支持部２５を備える構成としている。このようにすれば、導光板１９は、導光板支持部２５によって撓まされた状態で支持されているから、導光板１９が上記のような底板１４ａの変形に追従した場合でも、全体としては復元しようとするために撓みが緩和されることになる。これにより、導光板１９の内部応力が当初よりも減少されるので、従来のように底板１４の変形に追従するのに伴って導光板１９の内部応力が増加する場合に比べると、導光板１９の姿勢を安定させることができ、導光板１９における光入射面２１９ｂを有する端側部分１９ＥＰと第２反射シート２１との間に隙間が生じ難くなる。従って、ＬＥＤ１７からの光が上記隙間を通って第２反射シート２１によって直接反射されて生じる光漏れが防がれるとともに、光出射面１９ａからの出射光に生じ得る輝度ムラを抑制することができ、もって液晶表示装置１０の大型化を容易に図ることができるのである。以下、導光板支持部２５の構成について詳しく説明する。
【００４３】
導光板支持部２５は、図３及び図５に示すように、放熱部材２２における底部２４から表側、つまり第２反射シート２１（導光板１９）側に向けて突出する形で一体に設けられている。導光板支持部２５は、底部２４において導光板１９の光入射面１９ｂ（ＬＥＤ１７、ＬＥＤ取付部２３）からのＹ軸方向、つまりＬＥＤ１７と導光板１９との並び方向についての距離が異なる２位置にそれぞれ配されており、相対的に光入射面１９ｂに近い（光入射面１９ｂからの距離が小さい）第１導光板支持部２５Ａと、相対的に光入射面１９ｂから遠い（光入射面１９ｂからの距離が大きい）第２導光板支持部２５Ｂとからなるものとされる。第２導光板支持部２５Ｂは、底部２４のうちＬＥＤ取付部２３からの延出先端部に配されているのに対し、第１導光板支持部２５Ａは、底部２４のうち延出先端部よりもＬＥＤ取付部２３（延出基端部）寄りの位置に配されている。また、各導光板支持部２５Ａ，２５Ｂにおける底部２３からの突出先端面、つまり導光板１９及び第２反射シート２１に対する支持面は、底部２３や底板１４ａの板面に並行する真っ直ぐな面とされている。これら第１導光板支持部２５Ａ及び第２導光板支持部２５Ｂは、図４に示すように、それぞれ底部２４においてＸ軸方向、つまりＬＥＤ基板１８における複数のＬＥＤ１７の並び方向（光入射面１９ｂの長さ方向）に沿って延在するレール状（突条状）をなしている。これにより、放熱部材２２の機械的強度の補強が図られている。第１導光板支持部２５Ａは、図５に示すように、導光板１９（第２反射シート２１）の支持位置（底板１４ａや底部２４からのＺ軸方向についての距離）が相対的に低い「低位側支持部」となっているのに対し、第２導光板支持部２５Ｂは、導光板１９の支持位置が相対的に高い「高位側支持部」となっている。導光板１９は、バックライト装置１２に組み込まれる前の段階では、板面がＸ軸方向及びＹ軸方向の双方に並行する真っ直ぐな形状であるものの、バックライト装置１２に組み込まれて上記した第１導光板支持部２５Ａ及び第２導光板支持部２５Ｂによって第２反射シート２１を介して裏側から支持されることで、光入射面１９ｂを有するＹ軸方向についての端側部分１９ＥＰがＹ軸方向についての中央側部分１９ＣＰよりも低い位置、つまりＺ軸方向（底板１４ａ、底部２４及び導光板１９の重なり方向）について底板１４ａや底部２４に近い位置になるよう撓まされている。
【００４４】
そして、この導光板支持部２５は、図３に示すように、導光板１９を両側から挟み込む形で配される一対の放熱部材２２の各底部２４にそれぞれ設けられて対をなしているので、これら対をなす形で配される導光板支持部２５によって支持される導光板１９は、それぞれ光入射面１９ｂを有する一対の両端側部分１９ＥＰが中央側部分１９ＣＰよりも低い位置に保たれるとともに、全体として中央側部分１９ＣＰが表側（光学部材１５側）に突き出し、両端側部分１９ＥＰが裏側（底板１４ａ側）に引っ込んだ弓形の姿勢に撓まされている。この弓形に撓まされた状態の導光板１９は、一対の端側部分１９ＥＰがＺ軸方向についてほぼ同じ位置に保たれるとともに、全体として図３に示す左右対称形状に保たれている。この導光板１９は、弓形に撓んだ状態で上記した導光板支持部２５によって裏側から支持されているのであるが、光入射面１９ｂを有する端側部分１９ＥＰが表側からはフレーム１６によって押さえられている。つまり、導光板１９における光入射面１９ｂを有する端側部分１９ＥＰは、表側のフレーム１６と、裏側の導光板支持部２５との間に挟み込まれた状態で保持されていることになる。これにより、導光板１９を弓形に撓んだ姿勢に安定的に保つことができる。なお、導光板１９を表裏から挟む形で配される第２反射シート２１及び光学部材１５は、弓形に撓んだ導光板１９に倣って弓形に反った形状とされている。
【００４５】
本実施形態は以上のような構造であり、続いてその作用を説明する。上記した構成の液晶表示装置１０の電源をＯＮすると、図示しないコントロール基板の制御回路により液晶パネル１１の駆動が制御されるとともに、図示しないＬＥＤ駆動回路基板のＬＥＤ駆動回路からの駆動電力がＬＥＤ基板１８の各ＬＥＤ１７に供給されることでその駆動が制御される。各ＬＥＤ１７からの光は、導光板１９により導光されることで、光学部材１５を介して液晶パネル１１に照射され、もって液晶パネル１１に所定の画像が表示される。以下、バックライト装置１２に係る作用について詳しく説明する。
【００４６】
各ＬＥＤ１７を点灯させると、各ＬＥＤ１７から出射した光は、図３に示すように、導光板１９における各光入射面１９ｂに入射する。ここで、ＬＥＤ１７と光入射面１９ｂとの間には、所定の空間が保有されているものの、その空間が表側の第１反射シート２０と裏側の第２反射シート２１とにより挟み込まれているから、ＬＥＤ１７からの光は両反射シート２０，２１により繰り返し反射されることで、効率的に光入射面１９ｂに入射される。光入射面１９ｂに入射した光は、導光板１９における外部の空気層との界面にて全反射されたり、第２反射シート２１により反射されるなどして導光板１９内を伝播された後に光出射面１９ａから表側の光学部材１５へ向けて出射される。
【００４７】
ここで、バックライト装置１２を構成するシャーシ１４の底板１４ａに撓みや反りなどの変形が発生し、それに伴って底板１４ａの中央側部分が裏側外部へと膨らむと、放熱部材２２も底板１４ａに追従して変位する場合がある。その場合、放熱部材２２の底部２３における延出先端側が延出基端側よりも裏側に変位するとともに第２導光板支持部２５Ｂによる導光板１９の支持位置が低くなるため、導光板１９における中央側部分１９ＣＰが裏側、つまり底板１４ａ側に変位されることになる。このとき、仮に導光板が真っ直ぐな形状のままバックライト装置に組み込まれていた場合には、上記のような変位が生じると、新たに撓みが発生して内部応力が増加することになるため、導光板の姿勢が不安定なものとなり、導光板と第２反射シートとの間に隙間が生じるおそれがある。その点、本実施形態に係る導光板１９は、図６に示すように、第２反射シート２１と底板１４ａとの間に介在する形で配される導光板支持部２５によって光入射面１９ｂを有する一対の端側部分１９ＥＰが中央側部分１９ＣＰに比べて相対的に底板１４ａ側に配されるよう、第２反射シート２１を介して全体として弓形に撓まされた状態で支持されているから、上記のように中央側部分１９ＣＰが底板１４ａ側に変位されると、全体として真っ直ぐな形状へと復元しようとするために撓みが緩和されることになる。なお、図６では、変形前の底板１４ａと、追従前の導光板１９及び放熱部材２２とをそれぞれ二点鎖線にて図示している。これにより、導光板１９の内部応力が減少されることになるので、導光板１９の姿勢を安定させることができ、それにより導光板１９における光入射面１９ｂを有する各端側部分１９ＥＰと第２反射シート２１との間に隙間が生じ難くなっている。従って、各ＬＥＤ１７からの光が上記隙間を通って第２反射シート２１によって直接反射されて生じる光漏れが防がれるとともに、導光板１９の光出射面１９ａからの出射光に輝度ムラが生じ難くなっている。以上により、液晶表示装置１０及びバックライト装置１２の大型化に伴って、シャーシ１４の底板１４ａに変形が生じ易くなっても、その変形に伴って生じ得る問題を解消することができ、もって大型化を容易に図ることができる、という効果を得ることができる。
【００４８】
しかも、導光板支持部２５は、第１導光板支持部２５Ａと第２導光板支持部２５Ｂとによって光入射面１９ｂからの距離が異なる２位置で導光板１９を支持するようにしているから、導光板１９の姿勢が安定したものとなるのに加え、仮に導光板支持部が導光板１９及び第２反射シート２１に対して面接触するような面状に形成された場合に比べると、導光板１９及び第２反射シート２１に対する接触面積が少なくなるので、ＬＥＤ１７から放熱部材２２に伝達された熱が導光板支持部２５を介して導光板１９に伝達され難くなっている。これにより、導光板１９に熱膨張が生じ難くなってＬＥＤ１７に対する光入射面１９ｂの位置関係がより安定したものとなる。さらには、導光板支持部２５を構成する第１導光板支持部２５Ａ及び第２導光板支持部２５Ｂは、放熱部材２２の底部２４においてＸ軸方向、つまりＬＥＤ１７の並び方向に沿って延在する形態とされているから、放熱部材２２の補強を図ることができ、それによりＬＥＤ基板１８が取り付けられたＬＥＤ取付部２３に反りや撓みが生じ難くなる。従って、Ｘ軸方向に沿って複数が間欠的に並んで配される各ＬＥＤ１７の間にＹ軸方向またはＺ軸方向について位置が異なるものが生じ難くなり、もって各ＬＥＤ１７から光入射面１９ｂに入射する光の入射効率をそれぞれ安定したものとすることができるとともに、導光板１９の光出射面１９ａからの出射光にも輝度ムラがより生じ難くなる。また、ＬＥＤ１７を実装したＬＥＤ基板１８が取り付けられる放熱部材２２に、導光板支持部２５が設けられているので、導光板支持部２５によって支持された導光板１９における光入射面１９ｂを有する端側部分１９ＥＰを、ＬＥＤ１７に対してより適切な位置に保つことができ、それによりＬＥＤ１７から光入射面１９ｂに入射する光の入射効率をより安定させることができる。また、発光に伴ってＬＥＤ１７から発生した熱は、放熱部材２２を介してシャーシ１４に伝達された後に外部へと効率的に放散されるから、液晶表示装置１０及びバックライト装置１２の大型化に伴って、ＬＥＤ１７からの発熱量が増加しても容易に対応することができ、もって大型化を図る上で好適とされる。
【００４９】
以上説明したように本実施形態のバックライト装置（照明装置）１２は、ＬＥＤ（光源）１７と、ＬＥＤ１７と対向状に配されるとともにＬＥＤ１７からの光が入射される光入射面１９ｂと、入射した光を出射させる光出射面１９ａとを有する導光板１９と、導光板１９における光出射面１９ａとは反対側の板面１９ｃを覆う形で配される第２反射シート（反射部材）２１と、第２反射シート２１に対して導光板１９側とは反対側に対向状に配されるとともに第２反射シート２１に沿って延在する底板１４ａを有するシャーシ１４と、第２反射シート２１と底板１４ａとの間に介在する形で配されるとともに、導光板１９における光入射面１９ｂを有する端側部分１９ＥＰが中央側部分１９ＣＰに比べて相対的に底板１４ａ側に位置するよう第２反射シート２１を介して導光板１９を撓ませて支持する導光板支持部２５と、を備える。
【００５０】
このようにすれば、ＬＥＤ１７から発せられた光は、導光板１９の光入射面１９ｂに入射して導光板１９内において第２反射シート２１によって反射されるなどして伝播された後に光出射面１９ａから出射される。ここで、当該バックライト装置１２が大型化されると、それに伴ってシャーシ１４も大きくなるため、反りや撓みなどの変形が生じ易くなり、特に底板１４ａのうち端側部分１９ＥＰよりも中央側部分１９ＣＰが外側に膨らむような変形が生じ易くなる傾向にある。その場合、上記した底板１４ａの変形に追従して導光板１９における中央側部分１９ＣＰが外側、つまり底板１４ａ側に変位されることになるが、導光板１９は、第２反射シート２１とシャーシ１４の底板１４ａとの間に介在する形で配される導光板支持部２５によって光入射面１９ｂを有する端側部分１９ＥＰが中央側部分１９ＣＰに比べて相対的に底板１４ａ側に位置するよう第２反射シート２１を介して撓まされた状態で支持されているから、上記のように中央側部分１９ＣＰが底板１４ａ側に変位されると、全体として復元しようとするために撓みが緩和される。これにより、導光板１９の内部応力が減少されることになるので、仮に導光板１９の内部応力が増加した場合に比べると、導光板１９の姿勢を安定させることができ、それにより導光板１９における光入射面１９ｂを有する端側部分１９ＥＰと第２反射シート２１との間に隙間が生じ難くなる。従って、ＬＥＤ１７からの光が上記隙間を通って第２反射シート２１によって直接反射されて生じる光漏れが防がれるとともに、光出射面１９ａからの出射光に生じ得る輝度ムラを抑制することができる。
【００５１】
また、導光板支持部２５は、導光板１９のうち光入射面１９ｂを有する端側部分１９ＥＰと、その反対側の端側部分１９ＥＰとが共に中央側部分１９ＣＰに比べて相対的に底板１４ａ側に位置するよう導光板１９を弓形に撓ませて支持する。このようにすれば、導光板支持部２５により導光板１９を弓形に撓ませて支持しているから、仮に導光板１９における片方の端側部分１９ＥＰのみが中央側部分１９ＣＰに比べて相対的に底板１４ａ側に位置するよう導光板１９を撓ませた場合に比べると、導光板１９をより安定的に支持することができる。これにより、導光板１９における光入射面１９ｂを有する端側部分１９ＥＰと第２反射シート２１との間に隙間がより生じ難くなるので、輝度ムラをより好適に抑制することができる。
【００５２】
また、ＬＥＤ１７は、導光板１９を両側から挟み込むよう対をなす形で配されており、導光板１９のうち中央側部分１９ＣＰを挟んで位置する一対の端側部分１９ＥＰがそれぞれ光入射面１９ｂを有している。このようにすれば、導光板１９を両側から挟み込むよう対をなす形で配される各ＬＥＤ１７からの光は、導光板１９のうち中央側部分１９ＣＰを挟んで位置する一対の端側部分１９ＥＰがそれぞれ有する各光入射面１９ｂに入射される。導光板支持部２５によって導光板１９を弓形に撓ませて支持しているから、一対の端側部分１９ＥＰと第２反射シート２１との間にそれぞれ隙間が生じ難く、それにより各ＬＥＤ１７からの光が光漏れするのがそれぞれ防がれ、もって輝度ムラを一層好適に抑制することができる。
【００５３】
また、導光板支持部２５は、導光板１９が対称形状となるよう支持している。このようにすれば、輝度ムラをより一層好適に抑制することができる。
【００５４】
また、導光板支持部２５は、相対的に光入射面１９ｂの近くに配されるとともに導光板１９の支持位置が低い第１導光板支持部（低位側支持部）２５Ａと、相対的に光入射面１９ｂから遠くに配されるとともに導光板１９に対する支持位置が高い第２導光板支持部（高位側支持部）２５Ｂとからなる。このようにすれば、第１導光板支持部２５Ａと第２導光板支持部２５Ｂとからなる導光板支持部２５によって導光板１９を、光入射面１９ｂからの距離が異なる複数位置にて支持しているので、導光板１９の姿勢が安定したものとなるとともに、導光板支持部２５から導光板１９への伝熱を抑制することができる。
【００５５】
また、導光板１９に対して導光板支持部２５とは反対側に配されて端側部分１９ＥＰを押さえるフレーム（押さえ部材）１６が備えられている。このようにすれば、導光板１９における光入射面１９ｂを有する端側部分１９ＥＰが導光板支持部２５とフレーム１６とによって挟まれる形で支持されるから、第２反射シート２１に対する位置関係がより安定したものとなり、それにより光漏れをより確実に防ぐことができる。
【００５６】
また、ＬＥＤ１７は、導光板１９の光入射面１９ｂに沿って複数が間欠的に並んで配されている。このようにすれば、導光板支持部２５によって導光板１９における光入射面１９ｂを有する端側部分１９ＥＰと第２反射シート２１との位置関係が安定したものとなって光漏れが生じ難くなっているので、導光板１９の光入射面１９ｂに沿って間欠的に並んで配された複数のＬＥＤ１７から光入射面１９ｂに入射する光の入射効率がそれぞれ安定したものとなる。これにより、輝度ムラを一層好適に抑制することができる。
【００５７】
また、ＬＥＤ１７が取り付けられるＬＥＤ取付部２３と、ＬＥＤ取付部２３から導光板１９側に向けて延出するとともに第２反射シート２１に対して導光板１９側とは反対側に対向状に配される底部２４とを有する放熱部材２２が備えられている。このようにすれば、ＬＥＤ１７から発せられた熱は、放熱部材２２のＬＥＤ取付部２３及び底部２４に伝達されることで、効率的に放散される。ここで、バックライト装置１２が大型化されると、それに伴ってＬＥＤ１７からの発熱量が増加する傾向にあるものの、上記したように放熱部材２２によって放熱性が高められているので、当該バックライト装置１２の大型化を図る上で有用である。
【００５８】
また、導光板支持部２５は、放熱部材２２の底部２４から第２反射シート２１側に向けて突出する形で設けられている。このようにすれば、ＬＥＤ１７が取り付けられたＬＥＤ取付部２３を有する放熱部材２２のうちの底部２４に導光板支持部２５を設けるようにしているから、導光板支持部２５によって支持された導光板１９における光入射面１９ｂを有する端側部分１９ＥＰをＬＥＤ１７に対してより適切な位置に保つことができる。これにより、ＬＥＤ１７から光入射面１９ｂに入射する光の入射効率をより良好なものとすることができる。
【００５９】
また、ＬＥＤ１７は、ＬＥＤ取付部２３において導光板１９の光入射面１９ｂに沿って複数が間欠的に並んで配されており、導光板支持部２５は、底部２４においてＬＥＤ１７の並び方向に沿って延在する形態とされている。このようにすれば、底部２４から第２反射シート２１側に向けて突出するとともにＬＥＤ１７の並び方向に沿って延在する形態とされる導光板支持部２５によって放熱部材２２が補強されるので、ＬＥＤ取付部２３に反りや撓みなどが生じ難くなる。従って、ＬＥＤ取付部２３において導光板１９の光入射面１９ｂに沿って複数が間欠的に並んで配される各ＬＥＤ１７の間に位置が異なるものが生じ難くなり、もって各ＬＥＤ１７から光入射面１９ｂに入射する光の入射効率をそれぞれ安定したものとすることができるとともに、輝度ムラの低減を図る上でより好適となる。
【００６０】
＜実施形態２＞
本発明の実施形態２を図７によって説明する。この実施形態２では、放熱部材１２２の表面に酸化層としてアルマイト層２６を形成したものを示す。なお、上記した実施形態１と同様の構造、作用及び効果について重複する説明は省略する。
【００６１】
本実施形態に係る放熱部材１２２は、金属材料であるアルミニウムからなるものとされ、図７に示すように、その表面に酸化層としてアルマイト層２６が形成されている。アルマイト層２６は、いわゆる陽極酸化皮膜であり、例えば希硫酸やシュウ酸などで満たした処理浴中に、アルミニウムからなる放熱部材１２２を陽極として電気分解することで、その表面を電気化学的に酸化させ、酸化アルミニウム（アルミナ）の酸化皮膜を生成させることで形成されている。このアルマイト層２６は、放熱部材１２２（導光板支持部１２５を含む）の外表面のほぼ全域を覆う形で形成されているので、放熱部材１２２における熱の放射率が高められている。これにより、放熱部材１２２の放熱性能をより向上させることができる。しかも、放熱部材１２２の材料として用いられるアルミニウムは、鉄に比べると熱伝導率が相対的に高いことから、ＬＥＤ１１７からの熱をシャーシ１１４などの他の部材に効率的に伝達させることができる。もって、上記したアルマイト層２６による効果も相まって放熱部材１２２の放熱性能がさらに向上されている。
【００６２】
以上説明したように本実施形態によれば、放熱部材１２２は、アルミニウムからなるとともに、その表面にアルマイト層２６が形成されている。このようにすれば、アルミニウムの熱伝導性が良好なのに加えて、表面にアルマイト層２６が形成されることで放射率が高められているから、放熱部材１２２の放熱性をより向上させることができる。
【００６３】
＜実施形態３＞
本発明の実施形態３を図８によって説明する。この実施形態３では、放熱部材２２２の表面を黒色に着色したものを示す。なお、上記した実施形態１と同様の構造、作用及び効果について重複する説明は省略する。
【００６４】
実施形態に係る放熱部材２２２は、図８に示すように、その表面に黒色の塗料が塗布されることで、表面が黒色を呈するものとされる。放熱部材２２２の表面には、黒色の塗料からなる着色層２７が形成されている。この着色層２７は、放熱部材２２２（導光板支持部２２５を含む）の外表面のほぼ全域を覆う形で形成されている。これにより、仮に放熱部材の表面が白色などの他の色を呈する構成とした場合に比べると、放熱部材２２２における熱の放射率が高くなるので、放熱部材２２２の放熱性能を向上させることができる。
【００６５】
＜実施形態４＞
本発明の実施形態４を図９によって説明する。この実施形態４では、放熱部材３２２の表面に放熱性塗料を塗布したものを示す。なお、上記した実施形態１と同様の構造、作用及び効果について重複する説明は省略する。
【００６６】
本実施形態に係る放熱部材３２２は、図９に示すように、その表面に金属酸化物（セラミックス）を含有した放熱性塗料が塗布されている。この放熱性塗料としては、例えば合同インキ株式会社製のユニクール（登録商標）などを用いるのが好適である。放熱部材３２２の表面には、放熱性塗料からなる放熱促進層２８が形成されている。この放熱促進層２８は、放熱部材３２２（導光板支持部３２５を含む）の外表面のほぼ全域を覆う形で形成されている。この放熱促進層２８は、金属酸化物を含有しているので、その金属酸化物によって放熱部材３２２における熱の放射率が高められ、もって放熱部材３２２の放熱性能を向上させることができる。
【００６７】
以上説明したように本実施形態によれば、放熱部材３２２は、その表面に金属酸化物を含有した放熱性塗料が塗布されている。このようにすれば、放熱部材３２２の表面に金属酸化物を含有した放熱性塗料を塗布することで、放熱部材３２２の放熱性をより向上させることができる。
【００６８】
＜実施形態５＞
本発明の実施形態５を図１０によって説明する。この実施形態５では、放熱部材４２２がシャーシ４１４の一部を構成するようにしたものを示す。なお、上記した実施形態１と同様の構造、作用及び効果について重複する説明は省略する。
【００６９】
本実施形態に係るシャーシ４１４は、図１０に示すように、ＬＥＤ取付部４２３、底部４２４及び導光板支持部４２５をそれぞれ有する一対の放熱部材４２２と、一対の放熱部材４２２に連結される底板部材２９とから構成される。つまり、放熱部材４２２は、シャーシ４１４の一部を構成していることになり、外部に露出する露出面４１４ｄを有している。従って、ＬＥＤ４１７から発せられた熱が放熱部材４２２に伝達されると、その熱を放熱部材４２２において外部に露出した露出面４１４ｄからバックライト装置４１２の外部へと効率的に放散させることができる。これにより、高い放熱性能を得ることができる。
【００７０】
詳しくは、放熱部材４２２は、ＬＥＤ取付部４２３がシャーシ４１４における側板４１４ｂの全体を構成するとともに、底部４２４がシャーシ４１４における底板４１４ａの一部を構成している。ＬＥＤ取付部４２３は、外側の板面（ＬＥＤ基板４１８の取付面とは反対側の板面）がほぼ全域にわたって外部に露出する露出面４１４ｄとなっている。底部４２４は、外側、つまり裏側（導光板支持部４２５の設置面とは反対側の板面）がほぼ全域にわたって外部に露出する露出面４１４ｄとなっている。
【００７１】
続いて、底板部材２９は、例えばアルミニウムなど、放熱部材４２２と同一の金属材料からなるものとされており、放熱部材４２２と同様にシャーシ４１４の長辺方向に沿って延在する板材からなる。底板部材２９は、平面に視て横長な方形状をなしており、その板面が底部４２４及び導光板４１９の各板面に並行している。底板部材２９は、その長さ方向がＸ軸方向と、幅方向がＹ軸方向と、厚さ方向がＺ軸方向とそれぞれ一致している。そして、この底板部材２９は、その両側に配される一対の放熱部材４２２の間に挟まれる形で配されており、底板部材２９における長辺側の両端部がそれぞれ一対の放熱部材４２２における各底部４２４におけるＬＥＤ取付部４２３からの延出先端部に連結されている。底部４２４及び底板部材２９は、互いに外面（裏面）がほぼ面一状をなしている。これら底板部材２９及び放熱部材４２２は、それぞれ別途に板金形成された後に相互の連結箇所が溶接や溶着などの手段によって連結されることで一体化されてバックライト装置４１２のシャーシ４１４を構成している。この底板部材２９は、シャーシ４１４における底板４１４ａの一部を構成しており、その外側（裏側）の板面がほぼ全域にわたってバックライト装置４１２の外部に露出する露出面４１４ｄとなっている。
【００７２】
以上説明したように本実施形態によれば、放熱部材４２２は、シャーシ４１４の一部を構成していて外部に露出する露出面４１４ｄを有している。このようにすれば、シャーシ４１４の一部を構成する放熱部材４２２が外部に露出する露出面を有しているので、ＬＥＤ４１７からの熱を露出面から外部へと効率的に放散させることができ、もって高い放熱性能を得ることができる。
【００７３】
＜実施形態６＞
本発明の実施形態６を図１１によって説明する。この実施形態６では、導光板支持部５２５の形状を変更したものを示す。なお、上記した実施形態１と同様の構造、作用及び効果について重複する説明は省略する。
【００７４】
本実施形態に係る導光板支持部５２５は、図１１に示すように、底部５２４からの突出先端面、つまり導光板５１９及び第２反射シート５２１に対する支持面５２５ａが、撓まされた導光板５１９の裏側の板面５１９ｃに倣う形状とされる。具体的には、導光板支持部５２５における支持面５２５ａは、撓まされて弓形となった導光板５１９の裏側の板面５１９ｃと同様に湾曲した形状、または傾斜した形状とされている。
【００７５】
＜実施形態７＞
本発明の実施形態７を図１２によって説明する。この実施形態７では、導光板支持部６２５の形状及び配置を変更したものを示す。なお、上記した実施形態１と同様の構造、作用及び効果について重複する説明は省略する。
【００７６】
本実施形態に係る導光板支持部６２５は、図１２に示すように、放熱部材６２２の底部６２４の板面において点状をなしていて複数が同板面内において分散して配置されている。詳しくは、この導光板支持部６２５は、底部６２４において相対的に導光板６１９の光入射面６１９ｂに近く且つ導光板６１９の支持位置が低い第１導光板支持部６２５Ａと、相対的に導光板６１９の光入射面６１９ｂから遠く且つ導光板６１９の支持位置が高い第２導光板支持部６２５Ｂとから構成されているが、いずれも底部６２４から表側、つまり導光板６１９側に向けて突出する略円柱状をなしている。第１導光板支持部６２５Ａ及び第２導光板支持部６２５Ｂは、Ｙ軸方向に沿って並んで配されることで１つの組をなしているが、底部６２４にはこの組がＸ軸方向（ＬＥＤ６１７の並び方向）について離間した位置に４組並んで配されている。つまり、第１導光板支持部６２５Ａ及び第２導光板支持部６２５Ｂは、底部６２４においてＸ軸方向に沿って間欠的に４つずつ並んで配されており、その配列ピッチが等ピッチとされる。このような構成とすれば、導光板６１９及び第２反射シート６２１に対する導光板支持部６２５の接触面積が上記した実施形態１に記載したものよりもさらに小さくなるので、導光板支持部６２５から導光板６１９への伝熱が一層抑制される。
【００７７】
＜実施形態８＞
本発明の実施形態８を図１３または図１４によって説明する。この実施形態８では、導光板支持部７２５の形状及び配置を変更したものを示す。なお、上記した実施形態１と同様の構造、作用及び効果について重複する説明は省略する。
【００７８】
本実施形態に係る導光板支持部７２５は、図１３及び図１４に示すように、放熱部材７２２の底部７２４においてＹ軸方向、つまりＬＥＤ７１７と導光板７１９との並び方向に沿って延在するレール状（線状）に形成されている。詳しくは、導光板支持部７２５は、底部７２４においてＬＥＤ取付部７２３からの延出基端位置から延出先端位置に至るほぼ全長にわたって延在しており、底部７２４からの突出先端面、つまり導光板７１９及び第２反射シート７２１に対する支持面７２５ａが、撓まされた導光板７１９の裏側の板面７１９ｃに倣う形状とされている。すなわち、導光板支持部７２５における支持面７２５ａは、導光板７１９の光入射面７１９ｂからの距離に応じて導光板７１９に対する支持位置が連続的に変化するものとされ、光入射面７１９ｂからの距離が大きくなるに連れて漸次増加する設定とされる。具体的には、導光板支持部７２５における支持面７２５ａは、撓まされて弓形となった導光板７１９の裏側の板面７１９ｃ（第２反射シート７２１）と同様に湾曲した形状とされている。これにより、導光板７１９は、光入射面７１９ｂを有する端側部分７１９ＥＰが、Ｙ軸方向に沿って線状をなす導光板支持部７１９によって適切に支持される。導光板支持部７２５は、底部７２４においてＸ軸方向（ＬＥＤ７１７の並び方向）に沿って間欠的に４つ並んで配されており、その配列ピッチが等ピッチとされる。
【００７９】
＜実施形態９＞
本発明の実施形態９を図１５によって説明する。この実施形態９では、シャーシ８１４に第３導光板支持部８２５Ｃを追加して設けるようにしたものを示す。なお、上記した実施形態１と同様の構造、作用及び効果について重複する説明は省略する。
【００８０】
本実施形態に係る導光板支持部８２５は、図１５に示すように、放熱部材８２２に設けられた第１導光板支持部８２５Ａ及び第２導光板支持部８２５Ｂと、シャーシ８１４に設けられた第３導光板支持部８２５Ｃとからなる。第３導光板支持部８２５Ｃは、シャーシ８１４の底板８１４ａにおける内側の板面から表側、つまり導光板８１９側（第２反射シート８２１側）に向けて突出する形で一体に設けられている。第３導光板支持部８２５Ｃは、Ｙ軸方向について底板８１４ａのうち一対の放熱部材８２２に挟まれた中央側部分１９ＣＰに一対が並んで配されており、導光板８１９の各光入射面８１９ｂ（ＬＥＤ８１７）からの距離が、各第２導光板支持部８２５Ｂよりもさらに大きくなっている。その上で、第３導光板支持部８２５Ｃは、導光板８１９の中央側部分８１９ＣＰを支持しており、その支持位置が第２導光板支持部８２５Ｂよりもさらに高くなっている。このようにすれば、導光板８１９は、端側部分８１９ＥＰが第１導光板支持部８２５Ａ及び第２導光板支持部８２５Ｂにより支持されるのに対し、中央側部分８１９ＣＰが第３導光板支持部８２５Ｃにより支持されるので、全長にわたってその姿勢がより安定的に保たれるようになっている。なお、一対の第３導光板支持部８２５Ｃは、底板８１４ａにおいて対称となる位置に配されるとともにその突出高さがほぼ同じに揃えられている。なお、第２導光板支持部８２５Ｂは、第１導光板支持部８２５Ａに対しては導光板８１９の支持位置が相対的に高い「高位側支持部」であるが、第３導光板支持部８２５Ｃに対しては導光板８１９の支持位置が相対的に低い「低位側支持部」であると言える。
【００８１】
＜実施形態１０＞
本発明の実施形態１０を図１６によって説明する。この実施形態１０では、上記した実施形態９から、導光板支持部９２５の設置対象物を変更したものを示す。なお、上記した実施形態９と同様の構造、作用及び効果について重複する説明は省略する。
【００８２】
本実施形態に係る導光板支持部９２５を構成する第１導光板支持部９２５Ａ、第２導光板支持部９２５Ｂ及び第３導光板支持部９２５Ｃは、図１６に示すように、全てシャーシ９１４の底板９１４ａに設けられている。第１導光板支持部９２５Ａ、第２導光板支持部９２５Ｂ及び第３導光板支持部９２５Ｃは、底板９１４ａにおける内側の板面から表側に向けてそれぞれ突出しており、その突出高さが導光板９１９の光入射面９１９ｂ（ＬＥＤ９１７）からの距離に比例して大きくなるものとされる。放熱部材９２２における底部９２４には、第１導光板支持部９２５Ａ及び第２導光板支持部９２５Ｂをそれぞれ通すための支持部挿通孔３０が一対、開口して設けられている。従って、放熱部材９２２をシャーシ９１４内に収容する際には、各支持部挿通孔３０に第１導光板支持部９２５Ａ及び第２導光板支持部９２５Ｂがそれぞれ挿通されることで、放熱部材９２２をシャーシ９１４に対して位置決めすることができる。
【００８３】
＜実施形態１１＞
本発明の実施形態１１を図１７によって説明する。この実施形態１１では、シャーシ１０１４における放熱部材１０２２の配置を変更したものを示す。なお、上記した実施形態１と同様の構造、作用及び効果について重複する説明は省略する。
【００８４】
本実施形態に係る放熱部材１０２２は、図１７に示すように、シャーシ１０１４において導光板１０１９をその長辺方向の両側から挟み込む形で一対配されている。放熱部材１０２２は、シャーシ１０１４の短辺方向（Ｙ軸方向）に沿って延在する板材からなるものとされ、その構成部位であるＬＥＤ取付部１０２３及び底部１０２４の各長さ方向がいずれもＹ軸方向と一致している。導光板支持部１０２５は、底部１０２４の長さ方向であるＹ軸方向に沿って延在するレール状をなしている。ＬＥＤ基板１０１８は、ＬＥＤ取付部１０２３の長さ方向に沿って延在する形態とされ、実装された複数のＬＥＤ１０１７がＹ軸方向に沿って間欠的に並んで配されている。また、導光板１０１９は、一対の短辺側の端面がそれぞれＬＥＤ１０１７と対向状をなす光入射面１０１９ｂとされている。このような構成のものにおいても、上記した実施形態１と同等の作用及び効果を得ることができる。
【００８５】
＜他の実施形態＞
本発明は上記記述及び図面によって説明した実施形態に限定されるものではなく、例えば次のような実施形態も本発明の技術的範囲に含まれる。
（１）上記した実施形態１〜７，１１では、放熱部材の底部において導光板の光入射面からの距離が異なる２位置に導光板支持部（低位側支持部及び高位側支持部）を配置した場合を示したが、放熱部材の底部において導光板の光入射面からの距離が異なる３以上の位置に導光板支持部を配置することも勿論可能である。
【００８６】
（２）上記した実施形態８，９では、放熱部材及びシャーシにおいて導光板の光入射面からの距離が異なる３位置に導光板支持部を配置した場合を示したが、放熱部材及びシャーシにおいて導光板の光入射面からの距離が異なる２位置または４以上の位置に導光板支持部を配置することも勿論可能である。その場合、どの導光板支持部をシャーシと放熱部材とに設けるかは、設計において任意に選択することができる。
【００８７】
（３）上記した実施形態７，８では、平面に視て点状または線状をなす導光板支持部がＸ軸方向に沿って４つ並んで配されるものを示したが、Ｘ軸方向についての並列数を３つ以下としたり、５つ以上とすることも勿論可能である。
【００８８】
（４）上記した各実施形態以外にも、導光板支持部の具体的な形状は適宜に変更可能であり、例えば断面形状が三角形状や台形状をなすものや、延在方向について幅が変化する形状としたものなども本発明に含まれる。また、実施形態７の変形例としては、平面に視て点状をなす導光板支持部が角柱状（三角柱状、四角柱状など）や楕円柱状に形成されたものも本発明に含まれる。
【００８９】
（５）上記した各実施形態以外にも、放熱部材の底部やシャーシの底板における導光板支持部の具体的な配置は適宜に変更可能である。
【００９０】
（６）上記した各実施形態（実施形態７を除く）では、導光板支持部がＸ軸方向またはＹ軸方向に沿って延在するレール状に形成されたものを示したが、導光板支持部がＸ軸方向及びＹ軸方向の双方に対して傾いた方向に沿って延在するレール状に形成されたものも本発明に含まれる。
【００９１】
（７）上記した各実施形態では、導光板支持部が平面に視て線状または点状をなす形態としたものを示したが、導光板支持部が平面に視て面状をなす形態としたものも本発明に含まれる。
【００９２】
（８）上記した各実施形態では、導光板が全体として対称形状となるよう導光板支持部により支持した場合を示したが、導光板が全体として非対称形状となるよう導光板支持部により支持したものも本発明に含まれる。
【００９３】
（９）上記した各実施形態では、導光板支持部が放熱部材またはシャーシに一体に設けられた場合を示したが、導光板支持部を放熱部材及びシャーシとは別部品とし、放熱部材またはシャーシに対して取り付けることで一体化することも可能である。
【００９４】
（１０）上記した実施形態１０のように全ての導光板支持部をシャーシに設けるようにしたものでは、放熱部材を省略することが可能である。その場合、ＬＥＤを実装したＬＥＤ基板をシャーシの側板における内側の板面に直接取り付けるようにすればよい。
【００９５】
（１１）上記した各実施形態では、ＬＥＤ基板及び放熱部材が導光板における両長辺側の端部または両短辺側の端部にそれぞれ対向するよう一対配されるものを示したが、例えばＬＥＤ基板及び放熱部材が導光板における一方の長辺側の端部にのみ配されるものや、ＬＥＤ基板及び放熱部材が導光板における一方の短辺側の端部にのみ配されるものも本発明に含まれる。その場合、導光板における一対の長辺側または短辺側の端面のうちの一方のみが光入射面となる。この場合でも、導光板支持部により導光板を弓形に撓ませて支持するのが姿勢安定化の観点から好ましい。
【００９６】
（１２）上記した（１１）以外にも、ＬＥＤ基板及び放熱部材を導光板における任意の３辺の各端部に対してそれぞれ対向するよう配したものや、ＬＥＤ基板及び放熱部材を導光板における４辺全てに対してそれぞれ対向するよう配したものも本発明に含まれる。
【００９７】
（１３）上記した各実施形態では、ＬＥＤ基板及び放熱部材が導光板における１辺に対して１つ配置されるものを示したが、ＬＥＤ基板及び放熱部材を導光板における１辺に対して２つ以上配置するようにしてもよい。
【００９８】
（１４）上記した実施形態２と実施形態３とを組み合わせて、アルマイト層を黒色に着色するようにしたものも本発明に含まれる。このようにすれば、放熱部材における熱の放射性がより一層向上し、さらに高い放熱性能を発揮することができる。
【００９９】
（１５）上記した実施形態３と実施形態４とを組み合わせて、放熱部材の表面に塗布する放熱性塗料が黒色を呈するものとすることも可能である。このようにすれば、放熱部材における熱の放射性がより一層向上し、さらに高い放熱性能を発揮することができる。
【０１００】
（１６）上記した各実施形態では、放熱部材を構成する金属材料としてアルミニウムを用いた場合を示したが、アルミニウム以外にも例えば鉄や銅などを放熱部材を構成する金属材料として用いることが可能である。
【０１０１】
（１７）上記した各実施形態では、液晶パネルが有するカラーフィルタの着色部をＲ，Ｇ，Ｂの３色としたものを例示したが、着色部を４色以上とすることも可能である。
【０１０２】
（１８）上記した各実施形態では、光源としてＬＥＤを用いたものを示したが、有機ＥＬなどの他の光源を用いることも可能である。
【０１０３】
（１９）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１０４】
（２０）上記した各実施形態では、表示パネルとして液晶パネルを用いた液晶表示装置を例示したが、他の種類の表示パネルを用いた表示装置にも本発明は適用可能である。
【０１０５】
（２１）上記した各実施形態では、チューナー部を備えたテレビ受信装置を例示したが、チューナー部を備えない表示装置にも本発明は適用可能である。
【符号の説明】
【０１０６】
１０…液晶表示装置（表示装置）、１１…液晶パネル（表示パネル）、１２，４１２…バックライト装置（照明装置）、１４，１１４，４１４，８１４，９１４，１０１４…シャーシ、１４ａ，４１４ａ，８１４ａ，９１４ａ…底板、１６…フレーム（押さえ部材）、１７，１１７，４１７，６１７，７１７，８１７，９１７，１０１７…ＬＥＤ（光源）、１９，４１９，５１９，６１９，７１９，８１９，９１９，１０１９…導光板、１９ＣＰ，８１９ＣＰ…中央側部分、１９ＥＰ，７１９ＥＰ，８１９ＥＰ…端側部分、１９ａ…光出射面、１９ｂ，６１９ｂ，７１９ｂ，８１９ｂ，９１９ｂ，１０１９ｂ…光入射面、１９ｃ，５１９ｃ，７１９ｃ…板面、２１，５２１，６２１，７２１，８２１…第２反射シート（反射部材）、２２，１２２，２２２，３２２，４２２，６２２，７２２，９２２，１０２２…放熱部材、２３，４２３，７２３，１０２３…ＬＥＤ取付部（光源取付部）、２４，４２４，５２４，６２４，７２４，９２４，１０２４…底部、２５，１２５，２２５，３２５，４２５，５２５，６２５，７２５，８２５，９２５，１０２５…導光板支持部、２５Ａ，６２５Ａ，８２５Ａ，９２５Ａ…第１導光板支持部（低位側支持部）、２５Ｂ，６２５Ｂ，８２５Ｂ，９２５Ｂ…第２導光板支持部（高位側支持部）、２６…アルマイト層、４１４ｄ…露出面、９２５Ｃ…第３導光板支持部（導光板支持部、高位側支持部）、ＴＶ…テレビ受信装置
【図１】
0005727394.tif 000002
【図２】
0005727394.tif 000003
【図３】
0005727394.tif 000004
【図４】
0005727394.tif 000005
【図５】
0005727394.tif 000006
【図６】
0005727394.tif 000007
【図７】
0005727394.tif 000008
【図８】
0005727394.tif 000009
【図９】
0005727394.tif 000010
【図１０】
0005727394.tif 000011
【図１１】
0005727394.tif 000012
【図１２】
0005727394.tif 000013
【図１３】
0005727394.tif 000014
【図１４】
0005727394.tif 000015
【図１５】
0005727394.tif 000016
【図１６】
0005727394.tif 000017
【図１７】
0005727394.tif 000018